(57)【要約】【課題】  各種部品同士を本固定の際に正確に位置決め可能な部品固定機構および部品固定方法を提供すること。【解決手段】  第１の部品１０および第２の部品２０の少なくとも一方に仮止め部２６を設け、仮止め部２６を介して第１の部品１０に第２の部品２０を仮止めし、第１の部品１０に第２の部品２０を押え部材３０により本固定する装置であって、第１の部品１０および第２の部品２０の少なくとも一方に可撓性部分を設け、前記可撓性部分の撓み強度を、第１の部品１０に第２の部品２０を押え部材３０により本固定するときに発生する強度より低くした。【選択図】  図３
2005217327.tif 000002
【特許請求の範囲】
【請求項１】
第１の部品および第２の部品の少なくとも一方に仮止め部を設け、当該仮止め部を介して前記第１の部品に前記第２の部品を仮止めし、前記第１の部品に前記第２の部品を押え部材により本固定する部品固定機構であって、
前記第１の部品および前記第２の部品の少なくとも一方に可撓性部分を設け、
前記可撓性部分の撓み強度を、前記第１の部品に前記第２の部品を前記押え部材により本固定するときに発生する強度よりも低くしたことを特徴とする部品固定機構。
【請求項２】
請求項１に記載の部品固定機構において、
前記仮止め部は、前記第２の部品に設けたことを特徴とする部品固定機構。
【請求項３】
請求項１に記載の部品固定機構において、
前記可撓性部分は、前記第２の部品と一体成形された弾性部であることを特徴とする部品固定機構。
【請求項４】
請求項１に記載の部品固定機構において、
前記可撓性部分は、前記第２の部品に埋設されるインサートとして構成された弾性部であることを特徴とする部品固定機構。
【請求項５】
請求項１又は２に記載の部品固定機構において、
前記第１の部品および前記第２の部品は、それぞれ電子機器の外装パネル、押しボタン部材であって、
前記外装パネルに前記押しボタン部材の操作用の開口部を形成し、当該開口部に前記押しボタン部材の操作部が挿通した状態で、前記外装パネルおよび前記押しボタン部材の少なくとも一方の仮止め部を介して前記外装パネルに前記押しボタン部材を仮止めしたことを特徴とする部品固定機構。
【請求項６】
請求項５に記載の部品固定機構において、
前記押え部材は回路基板であって、
前記外装パネルに前記押しボタン部材を前記回路基板にて本固定する際、前記可撓性部分にて前記押しボタン部材の仮止め誤差を吸収しつつ本固定することを特徴とする部品固定機構。
【請求項７】
第１の部品および第２の部品の少なくとも一方に設けた仮止め部を介して前記第１の部品に前記第２の部品を仮止めする仮止め工程と、
前記第１の部品に前記第２の部品を押え部材により本固定する本固定工程とを備え、
前記本固定工程の際、前記第１の部品および前記第２の部品の少なくとも一方に設けた仮止め部近傍の可撓性部分により前記第１の部品に前記第２の部品を仮止めした仮止め誤差を吸収しつつ本固定することを特徴とする部品固定方法。
【請求項８】
請求項７に記載の部品固定方法において、
前記仮止め部は、溶着により前記第１の部品と前記第２の部品が仮止めされることを特徴とする部品固定方法。
【発明の詳細な説明】
【技術分野】
【０００１】
本願は、例えば電気部品、電子部品または光学部品などの各種部品同士を仮止めした後に本固定するための部品固定機構および部品固定方法の技術分野に属する。
【背景技術】
【０００２】
従来、例えば電子部品における合成樹脂製の外装パネルに押しボタンなどの合成樹脂製の押しボタン部材を固定するには、まず上記外装パネルの開口部に上記押しボタン部材を操作するための操作部を挿通し、当該スイッチ部が上記外装パネルの開口部前面から若干突出した状態で、上記外装パネルに突設したピンの基端部まで上記押しボタン部材に形成した円筒状部を挿通し、当該円筒状部に上記ピンの先端部を溶着させて互いに固着することにより、上記外装パネルに上記押しボタン部材を仮止めしていた。
【発明の開示】
【発明が解決しようとする課題】
【０００３】
しかしながら、上記のようにして外装パネルに押しボタン部材を仮止めした場合には、外装パネルに突設したピンの基端部まで押しボタン部材の円筒状部を挿通していない状態で溶着させてしまうことがある。つまり、この場合には、外装パネルに押しボタン部材を浮いた状態で溶着して固定することになる。また、溶着によりピン自体が変形し押しボタン部材の平面方向の位置がずれる場合もある。
【０００４】
したがって、外装パネルに押しボタン部材を浮いた状態で仮止めした場合には、当該押しボタン部材を回路基板などの押付け部材によって外装パネルに押し付けたとしても、剛体同士が溶着されているので、押しボタン部材の取付位置を矯正することができず、押しボタン部材が外装パネルの開口部前面から突出する操作部同士の長さにバラツキが生じ、外装パネルに押しボタン部材を正確に位置決めすることができないという不具合が一例として挙げられる。
【０００５】
このような不具合を解消するには、上記外装パネルに突設したピンの基端部まで上記押しボタン部材に形成した円筒状部を確実に挿通し、当該円筒状部にピンを溶着させて互いに誤差のないように固着しなければならないため、仮止め作業が面倒で手間がかかり、仮止め作業効率が悪いという問題も一例として挙げられる。
【０００６】
そこで、本願は、上記の各事情を考慮してなされたもので、その課題の一例は、各種部品同士を本固定の際に正確かつ容易に位置決め可能な部品固定機構および部品固定方法を提供することにある。
【課題を解決するための手段】
【０００７】
上記の課題を解決するため、請求項１に記載の発明は、第１の部品および第２の部品の少なくとも一方に仮止め部を設け、当該仮止め部を介して前記第１の部品に前記第２の部品を仮止めし、前記第１の部品に前記第２の部品を押え部材により本固定する部品固定機構であって、前記第１の部品および前記第２の部品の少なくとも一方に可撓性部分を設け、前記可撓性部分の撓み強度を、前記第１の部品に前記第２の部品を前記押え部材により本固定するときに発生する強度よりも低くしたことを特徴とする。
【０００８】
また、上記の課題を解決するため、請求項７に記載の発明は、第１の部品および第２の部品の少なくとも一方に設けた仮止め部を介して前記第１の部品に前記第２の部品を仮止めする仮止め工程と、前記第１の部品に前記第２の部品を押え部材により本固定する本固定工程とを備え、前記本固定工程の際、前記第１の部品および前記第２の部品の少なくとも一方に設けた仮止め部近傍の可撓性部分により前記第１の部品に前記第２の部品を仮止めした仮止め誤差を吸収しつつ本固定することを特徴とする。
【発明を実施するための最良の形態】
【０００９】
以下、本願の実施の形態について、図面を参照しながら説明する。
【００１０】
なお、以下に説明する実施形態は、電子機器の外装パネルに形成した開口部に押しボタン部材を操作するための操作部を挿通し、当該操作部が上記外装パネルの開口部前面から若干突出した状態で、上記外装パネルに上記押しボタン部材を仮止めし、外装パネルに押しボタン部材を回路基板にて本固定する例に対して本願を適用した場合の実施の形態である。
【００１１】
図１は本願の一実施形態における押しボタン部材固定機構を正面方向から示す分解斜視図、図２は図１の押しボタン部材固定機構を背面方向から示す分解斜視図、図３は図２の要部を示す拡大分解斜視図、図４は図１の押しボタン部材を正面方向から示す斜視図、図５は図４の押しボタン部材を背面方向から示す斜視図、図６は図４の押しボタン部材の正面図である。
【００１２】
図１に示すように、本実施形態の固定機構は、電子機器の具体例としてのＤＶＤ記録再生装置の外装パネル１０に押しボタン部材２０を仮止めし、外装パネル１０に押しボタン部材２０を回路基板３０により本固定するものである。
【００１３】
外装パネル１０は、全体がポリスチレンなどの合成樹脂から一体成形されており、向かって中央と右側に形成されたＤＶＤメディアの取出口１１、表示パネル（ＦＬ）１２と、向かって取出口１１の左側上部に形成された電源ボタンやリモートコントロール信号光の受光部などの各部材をそれぞれ取り付けるための複数の取付孔１３と、取出口１１の左側下部に形成されたマイクロフォンやスピーカなどの他の機器とケーブルなどにより接続するための複数の接続孔１４と、後述する押しボタン部材２０の再生ボタン、停止ボタン、一時停止ボタン、録画ボタンなどの複数の押しボタン操作部がそれぞれ挿通される複数の開口部１５と、が設けられている。
【００１４】
また、外装パネル１０背面には、溶着して押しボタン部材２０を仮止めするため、図２および図３に示すように一定間隔をおいて複数の仮止めピン１６が突設されるとともに、外装パネル１０に押しボタン部材２０を回路基板３０により本固定するため、一定間隔をおいて複数の締結部１７が突設されている。そして、外装パネル１０背面には、押しボタン部材２０を平面方向に位置決めする際に用いる基準ピン１８が複数突設されている。なお、外装パネル１０の仮止めピン１６は、本願の仮止め部を構成する。
【００１５】
外装パネル１０の複数の開口部１５前面から若干突出するように取り付けられる押しボタン部材２０は、図３〜図６に示すように全体がＡＢＳ樹脂などの合成樹脂から一体成形され、再生ボタン、停止ボタン、一時停止ボタン、録画ボタンなどの複数の押しボタン操作部２１が外装パネル１０の開口部１５の数および大きさに対応して本体部２２の横方向に連続して形成され、これらの押しボタン操作部２１は、それぞれの弾性支持部２３を介して本体部２２に揺動可能に支持されている。すなわち、押しボタン操作部２１は、それぞれの弾性支持部２３により外装パネル１０の開口部１５の前面に対して出没可能に構成されている。そして、押しボタン操作部２１の背面側には、例えば回路基板３０に取り付けられた図示しないスイッチを操作するためのスイッチ操作部２４が一体に形成されている。
【００１６】
また、押しボタン部材２０の両端部近傍には、図４〜図７に示すように本体部２２から連続してそれぞれ弾性部２５がそれぞれＵ字状に湾曲形成され、これらの弾性部２５に連続して外装パネル１０に押しボタン部材２０を仮止めするための仮止め部２６がそれぞれ一体に形成されている。すなわち、これらの仮止め部２６は、外装パネル１０の仮止めピン１６を挿通させるために円筒状に形成されており、仮止め部２６の近傍には、本体部２２から連続してそれぞれ弾性部２５が設けられる。そして、押しボタン部材２０の本体部２２には、押しボタン部材２０を平面方向に位置決めする際に外装パネル１０の基準ピン１８が挿通する基準孔２７が複数穿設されている。
【００１７】
したがって、各仮止め部２６は、弾性部２５の弾性力により押しボタン部材２０の平面方向に対して直交する方向および平行する方向に移動可能になる。
【００１８】
回路基板３０は、図２および図３に示すように外装パネル１０の締結部１７に対応して取付孔３１が一定間隔をおいて複数穿設され、外装パネル１０に押しボタン部材２０を回路基板３０により本固定する際、これらの取付孔３１にビス３２を通して締結部１７に締め付ける。
【００１９】
また、本実施形態では、押しボタン部材２０の弾性部２５の弾性強度が、回路基板３０の取付孔３１にビス３２を通して外装パネル１０の締結部１７に締め付け、外装パネル１０に押しボタン部材２０を回路基板３０により押えて本固定するときに発生する強度よりも低く設定されている。
【００２０】
より具体的には、本実施形態は、回路基板３０の取付孔３１にビス３２を通して外装パネル１０の締結部１７に締め付け、外装パネル１０に押しボタン部材２０を回路基板３０により本固定する際、仮に外装パネル１０に押しボタン部材２０が浮き上がって固定された状態で仮止めされていたとしても、弾性部２５の弾性強度が外装パネル１０に押しボタン部材２０を回路基板３０により本固定するときに発生する強度よりも低いことから、押しボタン部材２０の弾性部２５が容易に弾性変形し、押しボタン部材２０を浮き上がらせた歪みである仮止め誤差を吸収する。
【００２１】
この際、押しボタン部材２０には、位置決め用の基準孔２７が複数形成される一方、外装パネル１０側には基準ピン１８が複数突設されているので、各基準ピン１８に各基準孔２７を挿通することにより、外装パネル１０に対する押しボタン部材２０の平面方向における正規の位置が決定される。そして、押しボタン部材２０の奥行方向の位置は、回路基板３０を押し付けることにより決定される。
【００２２】
なお、本実施形態の外装パネル１０、押しボタン部材２０および回路基板３０は、それぞれ本願の第１の部品、第２の部品および押え部材を構成している。
【００２３】
次に、外装パネル１０に押しボタン部材２０を仮止めした後、外装パネル１０に押しボタン部材２０を回路基板３０により本固定する方法を具体的に説明する。
【００２４】
まず、外装パネル１０に押しボタン部材２０を仮止めする仮止め工程では、外装パネル１０の複数の開口部１５に押しボタン部材２０の押しボタン操作部２１が開口部１５前面から若干突出した状態で、外装パネル１０の背面から一定間隔をおいて突設した複数の仮止めピン１６に、その仮止めピン１６の基端部まで押しボタン部材２０に形成した円筒状の仮止め部２６をそれぞれ挿通し、各仮止めピン１６の先端部をポリスチレンの溶融温度以上に加熱し、仮止め部２６に仮止めピン１６の先端部を溶着させて互いに固着することにより、外装パネル１０に押しボタン部材２０を仮止めする。
【００２５】
次いで、このように押しボタン部材２０を仮止めした状態で外装パネル１０に押しボタン部材２０を本固定する本固定工程では、外装パネル１０の締結部１７に回路基板３０の取付孔３１にビス３２を通して締結部１７に締め付けることにより、外装パネル１０に押しボタン部材２０を回路基板３０により本固定される。
【００２６】
この本固定工程において、仮に外装パネル１０に押しボタン部材２０が浮き上がった状態で仮止めされたとしても、弾性部２５の弾性強度が外装パネル１０に押しボタン部材２０を回路基板３０により本固定するときに発生する強度よりも低いことから、回路基板３０が押しボタン部材２０の弾性部２５を容易に弾性変形させ、この弾性変形によって押しボタン部材２０が浮き上がった歪みを吸収する。
【００２７】
以上説明したように、本実施形態の固定機構によれば、外装パネル１０に、押しボタン部材２０の仮止め部２６を介して当該押しボタン部材２０を仮止めし、外装パネル１０に押しボタン部材２０を回路基板３０により本固定する機構であって、押しボタン部材２０の仮止め部２６近傍に弾性部２５を設け、この弾性部２５の弾性強度を、外装パネル１０に押しボタン部材２０を回路基板３０により本固定するときに発生する強度よりも低くしたことにより、仮に外装パネル１０に押しボタン部材２０が浮き上がった状態で仮止めされたとしても、本固定時、回路基板３０が押しボタン部材２０の弾性部２５を容易に弾性変形させ、この弾性変形によって押しボタン部材２０が浮き上がった歪みを吸収することができる。
【００２８】
その結果、押しボタン部材２０のボタン操作部２１が外装パネル１０の開口部１５前面から若干突出する長さにバラツキが生じることなく、外装パネル１０に押しボタン部材２０を正確かつ容易に位置決めすることができる。
【００２９】
また、本実施形態の固定機構によれば、仮止め部２６を押しボタン部材２０に設けたことにより、一体成形が容易になる。そして、弾性部２５を押しボタン部材２０と一体成形したことにより、製造が容易になる。
【００３０】
さらに、本実施形態の固定方法によれば、本固定工程の際、外装パネル１０に設けた仮止め部２６近傍の弾性部２５により外装パネル１０に押しボタン部材２０を仮止めした仮止め誤差を吸収することにより、外装パネル１０に押しボタン部材２０を正確に位置決めするための作業が容易になる。そして、外装パネル１０に押しボタン部材２０を溶着により仮止めすることにより、外装パネル１０に押しボタン部材２０を仮止めする作業が容易になる。
【００３１】
図８は本願の押しボタン部材２０における弾性部の他の実施形態を示す断面図である。なお、前記実施形態と同一の部分には、図７と同一の符号を付して説明する。
【００３２】
前記実施形態では、押しボタン部材２０の全体がＡＢＳ樹脂から一体成形していたが、本実施形態では、押しボタン部材２０の弾性部２８のみを弾性体製金属とし、当該弾性部２８がインサートとして構成されている。すなわち、本実施形態では、弾性部２８の一端がＡＢＳ樹脂製の押しボタン部材２０の本体部２２に埋設され、弾性部２８の他端が仮止め部２６に埋設されている。この弾性部２８の弾性強度は、前記実施形態と同様に外装パネル１０に押しボタン部材２０を回路基板３０により押えて本固定するための押え強度より低く設定されている。
【００３３】
したがって、本実施形態によれば、弾性部２８を弾性体製金属とし、当該弾性部２８をインサートとして構成されているので、適宜弾性体製金属の種類、組成などを変更すれば、弾性強度を容易に変えることができる。
【００３４】
なお、本願は上記実施形態に限定されることなく、種々の変更が可能である。
【００３５】
例えば、上記実施形態では、第１の部品および第２の部品をそれぞれ電子機器の外装パネル、押しボタン部材としたが、これに限定されることなく電気部品や光学部品などの各種部品同士を仮止めした後、本固定するような部品であれば、いかなる部品であっても適用可能である。
【００３６】
そして、上記実施形態では、押え部材として回路基板３０を用いたが、これに限らず外装パネル１０に押しボタン部材２０を押えて本固定するものであればいかなる部品であってもよい。
【００３７】
また、上記実施形態では、第２の部品である押しボタン部材２０の仮止め部２６近傍に弾性部２５を設けるようにしたが、これに限らず第１の部品である外装パネル１０の仮止めピン１６の中間部分をＵ字状に湾曲形成して弾性部としてもよい。つまり、本願では、押しボタン部材２０および外装パネル１０の少なくとも一方に弾性部を設けるようにすればよい。
【００３８】
さらに、上記実施形態では、仮止め部２６近傍に弾性部２５，２８を設けるようにしたが、弾性部に限らず可撓性部分であればよく、当該可撓性部分の撓み強度は回路基板３０による押え強度より低くしてあればよい。そして、当該可撓性部分は、押しボタン部材２０の仮止め誤差を吸収しつつ本固定する部分であればよく、極端には押しボタン部材２０の仮止めが可能であれば、本固定時における押え強度により折損してもよい。
【００３９】
また、弾性部２５，２８は、樹脂の一体成形、弾性体製金属のインサートに限らず、コイルばね又はその他のばねやゴムであってもよい。
【００４０】
さらにまた、上記実施形態では、外装パネル１０に押しボタン部材２０を溶着により仮止めしたが、接着やビスなどの締付け部材により仮止めするようにしてもよい。
【図面の簡単な説明】
【００４１】
【図１】本願の一実施形態における押しボタン部材固定機構を正面方向から示す分解斜視図である。
【図２】図１の押しボタン部材固定機構を背面方向から示す分解斜視図である。
【図３】図２の要部を示す拡大分解斜視図である。
【図４】図１の押しボタン部材を正面方向から示す斜視図である。
【図５】図４の押しボタン部材を背面方向から示す斜視図である。
【図６】図４の押しボタン部材の正面図である。
【図７】本願の押しボタン部材における弾性部を示す断面図である。
【図８】本願の押しボタン部材における弾性部の他の実施形態を示す断面図である。
【符号の説明】
【００４２】
１０    外装パネル
１５    開口部
１６    仮止めピン
１７    締結部
２０    押しボタン部材
２１    押しボタン操作部
２２    本体部
２３    弾性支持部
２４    スイッチ操作部
２５    弾性部
２６    仮止め部
２８    弾性部
３０    回路基板
３１    取付孔
３２    ビス
【図１】
2005217327.tif 000003
【図２】
2005217327.tif 000004
【図３】
2005217327.tif 000005
【図４】
2005217327.tif 000006
【図５】
2005217327.tif 000007
【図６】
2005217327.tif 000008
【図７】
2005217327.tif 000009
【図８】
2005217327.tif 000010